(57)【要約】【課題】  甲バンドの微調整機能を高めること【解決手段】所定の幅および長さを有し、面ファスナーの雌面を接合した雌面接合固着部材５をタング２の一方の側部３の所定の位置に固着し、雌面接合固着部材５と着脱自在に契合し、面ファスナーの雄面を接合した雄面接合可動部材６をフリーの状態とし、締結片１２の一方の端部９を、雄面接合可動部材６の爪先側端部１０に固着し、延長部をループ７の中を挿入し反転し、他方の端部１１は自由端にし、締結片１３の一方の端部を雌面接合固着部材５の踵側端部に固着し、締結片１３の延長部をループ８の中を挿入し、締結片１３の他方の端部１４を雄面接合可動部材６の踵側端部１６に固着し、締結片１２の自由端部１１の裏面１６に面ファスナーの雄面を接合し、締結片１２が締結片１２の自由端部１１と対向する面１７に面ファスナーの雌面を接合する。【選択図】図１
2006110310.tif 000002
【特許請求の範囲】
【請求項１】
靴１の甲のタング２の一方の側部３から対向する側部４へタング２を跨ぐ状態で装着されていて、面ファスナーの雄面と雌面を契合して甲を締めるための甲バンドであって、
イ。バンプ２の一方の側部３の所定の位置に固着され所定の幅および長さを有する雌面接合固着部材５と、
ロ。雌面接合固着部材５と着脱自在に契合する雄面接合可動部材６と、
ハ。タング２の他方の側部４の所定の位置に固着された少なくも２個のループ７、８と、
ニ。一方の端部９が雄面接合可動部材６の爪先側端部１０に固着されていて、延長部がループ７の中を挿入され反転されて他方の端部１１が自由端になっている締結片１２と、
ホ。一方の端部（図番なし）が雌面接合固着部材５の踵側端部（図番なし）に固着されていて、延長部がループ８の中を挿入されていて反転され他方の端部１４が雄面接合可動部材６の踵側端部１５に固着されている締結片１３とを備えていて、
（１）雌面接合固着部材５の表面に面ファスナーの雌面が接合されていること、
（２）雌面接合固着部材５と対向していて雌面接合固着部材５と契合する雄面接合可動部材６の裏面に面ファスナーの雄面が接合されていること、
（３）締結片１２の自由端部１１の裏面１６に面ファスナーの雄面が接合されていること、
（４）締結片１２が締結片１２の自由端部１１と対向する面１７に面ファスナーの雌面が接合されていること、を特徴とする甲バンド。
【発明の詳細な説明】
【技術分野】
【０００１】  本発明は靴に関する。より詳細に述べれば、本発明は、甲のタングの一方の側部から対向する側部へタングを跨ぐ状態で装着されている甲バンドを改良した靴に関する。
【背景技術】
【０００２】  本発明で使用する用語「甲バンド」は、靴ひも、或いは尾錠等に代えて、布帛に面ファスナーを固着して、面ファスナーの雄面と雌面を契合して甲を締めるものと定義する。【０００３】  面ファスナーの代表的な商品としては、プラスチック製繊維製の小さなループが密接状態で植え付けられたループ面、即ち雌面と、先端が細かなカギ状になているフック面、即ち雄面から構成されている、いわゆる「マジックテープ」（（株）クラレの登録商標）が代表的であるが、その他に、同じ面にフックとループを並べた「フリーマジック」、フック面がマッシュループ形状になっている「マジタッチ」或いは「マジックハード」、フックが矢尻状になっている「マジロック」、フック及びループの両面がマッシュルーム形状になっている「マルチロック」等がある。本発明の用語「面ファスナー」はこれらを包含する。【０００４】  甲バンドは、靴の甲のタングの一方の側部から対向する側部へ跨がせ、ループへ挿入して反転して、対向する面ファスナーの雄面と雌面を契合して甲を締めるものである。甲バンドに使用する面ファスナーは、雄面と雌面の契合は容易にできるが、一旦契合すると強力に結合し、紐のように歩行時にゆるむこともなく、靴の着脱が容易になり、紐を結ぶことの煩わしさから解放されたため、幼児、高齢者のみならず、靴の締結具として広く普及している。【０００５】  本発明で使用する用語「タング」は、左右の腰が山形に盛り上がった箇所で、靴ひもで締結するタイプの靴の鳩目脇に相当する箇所と定義する。【０００６】  本発明で使用する用語「雌面接合固着部材」は、表面にファスナーの雌面が接合され、タングの所定位置に固着されている甲バンドの部材と定義する。【０００７】  本発明で使用する用語「雄面接合固着部材」は、表面にファスナーの雄面が接合された甲バンドの部材と定義する。【０００８】  従来の甲バンドの構成および欠点を図２を参照して説明する。図２は、従来の甲バンド１１を装着した右足用の靴の斜視図である。【０００９】  従来の甲バンド１１は、
（１）タング２の一方の側１８に固着され所定の幅および長さを有する雌面接合固着部材１９と、
（２）締結片２０であって、その端部２１を、固着部材１９の爪先方向端部２２に固着させ、その延長部２３をタング２を遊架させ、タング２の左側に固着させた金属製または合成樹脂製のループ２４の中を挿入させ反転さえた締結片２０と、
（３）締結片２５であって、その端部２６を、固着部材１９の踵方向端部２７に固着させ、その延長部２８をタング２を遊架させ、タング２の左側に固着させた金属製または合成樹脂製のループ２９の中を挿入させ反転させた締結片２５と、
（４）締結片２０の端部３０と締結片２５の端部３１に固着された雄面接合可動部材３２とから構成されていて、
（５）雌面接合固着部材１９の表面には面ファスナーの雌面が接合されていて、雄面接合可動部材３２が雌面接合固着部材１９と対向する面には面ファスナーの雄面が接合されている構造になっている。【０００８】  この従来の甲バンドを使用して甲を締めるには、足を入れた後、雄面接合可動部材３２を指で夾んで、締結片２０及び締結片２５を、希望する位置まで緩め、或いは締めてから、雄面接合可動部材３２の裏面に接合されている面ファスナーの雄面と、
雌面接合固着部材２２の表面に接合されている面ファスナーの雌面とを契合して行う。【０００９】  この従来の甲バンドの特徴は、締結片２０及び締結片２５が、それらの端部３０と３１が一緒に雄面接合可動部材３２に固定されているので、雄面接合可動部材３２を動かすと、雄面接合可動部材３２が動いた距離だけ、締結片２０及び締結片２５が同時に動くようになっていることである。【００１０】  従って、この従来の甲バンドの欠点は、一旦甲バンドを締めたあとで、甲の爪先側だけを微調整して強く締め直すか又は緩めたいと思っても、締結片２０か締結片２５のどちらか一方だけを動かす事が不可能なため、雄面接合可動部材３２を雌面接合固着部材１９から引き剥がして、再度やり直さなければならない点である。即ち、微調整が不可能なことである。
【発明の開示】
【発明が解決しようとする課題】
【００１１】  発明が解決しようとする主たる課題は、甲のタングの一方の側部から対向する側部へタングを跨ぐ状態で装着されていて、面ファスナーの雄面と雌面を契合させて甲を締めるタイプの甲バンドの微調整機能を高めることである。【００１２】  発明が解決しようとする特定的な課題は、甲のタングの一方の側部から対向する側部へタングを跨ぐ状態で装着されていて、面ファスナーの雄面と雌面を契合させて甲を締めるタイプの甲バンドを構成する少なくとも２個の締結片の一方を着脱自在に装着し、それにより随時微調整を可能ならしめることである。【００１３】  発明が解決しようとするその他の課題および利点は以下逐次明らかにされる。
【課題を解決するための手段】
【００１４】  上記課題を解決するための手段は、たとえば右足の靴の場合、甲のタングの右側に固着させる雌面接合固着部材と、雌面接合固着部材と契合させる雄面接合可動部材と、少なくとも２個の締結片から構成される甲バンドの、少なくとも１個の締結片の端部と雄面接合可動部材を着脱自在に接合し、そのことにより、少なくとも１個の締結片をフリー状態にしておき、随時希望する位置で面ファスナーを契合できるようにすることである。【００１５】  すなわち、上記課題を解決するための手段は、靴の甲のタングの一方の側部から対向する側部へタングを跨ぐ状態で装着されていて、面ファスナーの雄面と雌面を契合して甲を締めるための甲バンドであって、イ。タングの一方の側部の所定の位置に固着され所定の幅および長さを有する雌面接合固着部材と、ロ。雌面接合固着部材と着脱自在に契合する雄面接合可動部材と、ハ。タングの他方の側部の所定の位置に固着された少なくも２個のループと、ニ。端部が雄面接合可動部材の爪先側端部に固着されていて、延長部がループの中を挿入され反転されて端部が自由端になっている締結片と、ホ。端部が雌面接合固着部材の踵側端部に固着されていて、延長部がループの中を挿入されていて、その端部が雄面接合可動部材の踵側端部に固着されている締結片とを備えていて、（１）雌面接合固着部材の表面に面ファスナーの雌面が接合されていること、（２）雌面接合固着部材と対向していて雌面接合固着部材と契合する雄面接合可動部材の裏面に面ファスナーの雄面が接合されていること、（３）締結片の自由端部の裏面に面ファスナーの雄面が接合されていること、（４）締結片が締結片の自由端部と対向するに面ファスナーの雌面が接合されていること、を特徴とする甲バンドである。
【発明の効果】
【００１６】  請求項１に記載した発明により、靴の履用時には、甲バンドの雌面接合固着部材と雄面接合可動部材を契合して大まかな締め付けを行い、次いで締結片の自由端部の裏面に接合されている面ファスナーの雄面と、締結片が締結片の自由端部と対向する面に接合されているファスナーの雌面を随時自在に契合することができるので、歩行時にも雌面接合固着部材と雄面接合可動部材を契合を解除せずに、締結片の自由端部と自由端部と対向する面の契合だけで甲バンドの締付け力を微調整することができる。
【発明を実施するための最良の形態】
【００１７】  以下、発明を実施するための最良の形態を添付図面を参照して説明する。【００１８】  図１は、本発明の甲バンドを装着した靴の斜視図である。図１に示したように、本発明の甲バンドは、靴１の甲のタング２の一方の側部３から対向する側部４へタング２を跨ぐ状態で装着されていて、雌面接合固着部材５と、雌面接合固着部材５と着脱自在に契合する雄面接合可動部材６と、タング２の他方の側部４の所定の位置に固着された少なくも２個のループ７，８と、締結片１２，１３とから主として構成されている。【００１９】  所定の幅および長さを有する雌面接合固着部材５は、タング２の一方の側部３の所定の位置に固着されていて、その表面には面ファスナー、たとえば「マジックテープ」（（株）クラレの登録商標）の雌面が接合されている。【００２０】  雌面接合固着部材５と着脱自在に契合する雄面接合可動部材６は、全体がフリーの状態である。雄面接合可動部材６の裏面には、面ファスナー、たとえば「マジックテープ」（（株）クラレの登録商標）の雄面が接合されている。【００２１】  締結片１２の一方の端部９は、雄面接合可動部材６の爪先側端部１０に固着されている。締結片１２の延長部はループ７の中を挿入され、反転されてその他方の端部１１は自由端になっている。【００２２】  締結片１３の一方の端部（図番なし）は、雌面接合固着部材５の踵側端部（図番なし）に固着されている。締結片１３の延長部はループ８の中を挿入されている。締結片１３の他方の端部１４は雄面接合可動部材６の踵側端部１６に固着されている。【００２３】  そして、締結片１２の自由端部１１の裏面１６には面ファスナー、たとえば「マジックテープ」（（株）クラレの登録商標）の雄面が接合されていて、締結片１２が締結片１２の自由端部１１と対向する面１７には、面ファスナー、たとえば「マジックテープ」（（株）クラレの登録商標）の雌面が接合されていることを特徴とする。【００２４】  この構成により、靴の履用時には、甲バンドの雌面接合固着部材５と雄面接合可動部材６を契合して大まかな締め付けを行い、次いで締結片１２の自由端部１１の裏面に接合されている面ファスナーの雄面と、締結片１２が締結片１２の自由端部１１と対向する面１７に接合されているファスナーの雌面を随時自在に契合することができるので、歩行時にも雌面接合固着部材５と雄面接合可動部材６の契合を解除せずに、締結片１２の自由端部１１と自由端部１１と対向する面１７の契合だけで甲バンドの締付け力を微調整することができる。
【産業上の利用可能性】
【００２５】  以上詳述したように、本発明の甲バンドは、靴の履用時には、甲バンドの雌面接合固着部材５と雄面接合可動部材６を契合して大まかな締め付けを行い、次いで締結片１２の自由端部１１の裏面に接合されている面ファスナーの雄面と、締結片１２が締結片１２の自由端部１１と対向する面１７に接合されているファスナーの雌面を随時自在に契合することができるので、歩行時にも雌面接合固着部材５と雄面接合可動部材６の契合を解除せずに、締結片１２の自由端部１１と自由端部１１と対向する面１８の契合だけで甲バンドの締付け力を微調整することができるので、通常の健常者はもとより、幼児、高齢者も簡単に靴の甲への締め付けを調整することができるので、甲バンドの用途が拡大される。
【図面の簡単な説明】
【図１】本発明の甲バンドの一例を示す斜視図。
【図２】従来技術の甲バンドの一例を示す斜視図。
【符号の説明】
１    靴
２    タング
３    タングの一方の側部
４    タングの他方の側部
５    雌面接合固着部材
６    雄面接合可動部材
７    ループ
８    ループ
９    締結片１２の一方の端部
１０  雄面接合可動部材６の爪先側端部
１１  締結片１２の自由端部
１２  締結片
１３  締結片
１４  締結片１３の他方の端部
１５  接合可動部材６の踵側端部
１６  自由端部１１の裏面
１７  自由端部１１と対向する面
１８  タング２の一方の側
１９  雌面接合固着部材
２０  締結片
２１  締結片２０の端部
２２  固着部材１９の爪先方向端部
２３  延長部
２４  ループ
２５  締結片
２６  締結片２５の端部
２７  固着部材１９の踵方向端部
２８  延長部
２９  ループ
３０  締結片２０の端部
３１  締結片２５の端部
３２  雄面接合可動部材
【図１】
2006110310.tif 000003
【図２】
2006110310.tif 000004